(57)【要約】【課題】ガイドや読み取り装置に触れることなく生体認証を行うことができる個人認証装置を得る。【解決手段】複数の点光源をマトリクス状に配置してなる光源２と、指紋画像を読み取る為のレンズ５と、前記複数の点光源に対応してマトリクス状に配置した複数の読み取りエリアを有し、前記レンズ５を介して前記光源２から指を透過した指紋画像を読み取る読取装置１と、前記読取装置１による指紋画像の読み取りデータに基づいて指紋登録または照合を行う制御部６とを備え、前記制御部６は、前記読取装置１の読み取りエリアごとに前記光源２からの光が遮られているか否かを検知することで指の位置を検知する。【選択図】図１
2007193502.tif 000002
【特許請求の範囲】
【請求項１】
複数の点光源をマトリクス状に配置してなる光源と、
指紋画像を読み取る為のレンズと、
前記複数の点光源に対応してマトリクス状に配置した複数の読み取りエリアを有し、前記レンズを介して前記光源から指を透過した指紋画像を読み取る読取装置と、
前記読取装置による指紋画像の読み取りデータに基づいて指紋登録または照合を行う制御部と
を備え、前記制御部は、前記読取装置の読み取りエリアごとに前記光源からの光が遮られているか否かを検知することで指の位置を検知する
ことを特徴とする個人認証装置。
【請求項２】
請求項１に記載の個人認証装置において、
前記レンズと指との距離を検知する距離センサをさらに備え、
前記制御部は、前記距離センサにより検知された距離に合わせて前記レンズのピントを制御する
ことを特徴とする個人認証装置。
【発明の詳細な説明】
【技術分野】
【０００１】
この発明は、指紋や指の静脈など指を用いて認証を行う個人認証装置に関するものである。
【背景技術】
【０００２】
従来、指を使った個人認証装置として、指紋の表面が非接触状態になるよう被検体を保持して、爪側から透過光を照射し指紋画像を撮像するもの（例えば、特許文献１参照）や、指を制限部材によって読取許容範囲内に誘導し、光源から光を当てて反射光をセンサで受光するものがある（例えば、特許文献２参照）。これらによれば、指の上部（爪側）の光源から光を当てて、指紋や静脈などの生体情報をセンサに触れることなく非接触で読み取ることが可能であるが、非接触という特徴から指の位置の固定が困難であるためガイドなどに指を当てることで指の位置を固定している。
【０００３】
【特許文献１】特開２００３−８５５３８号公報
【特許文献２】特開２００１−１６７２５５号公報
【発明の開示】
【発明が解決しようとする課題】
【０００４】
しかしながら、従来の個人認証装置では、ガイドなどに指を当てることが必要なため、潔癖症の人などが嫌悪感を感じることがある。
【０００５】
この発明は上述した点に鑑みてなされたもので、ガイドや読み取り装置に触れることなく生体認証を行うことができる個人認証装置を得ることを目的とする。
【課題を解決するための手段】
【０００６】
この発明に係る個人認証装置は、複数の点光源をマトリクス状に配置してなる光源と、指紋画像を読み取る為のレンズと、前記複数の点光源に対応してマトリクス状に配置した複数の読み取りエリアを有し、前記レンズを介して前記光源から指を透過した指紋画像を読み取る読取装置と、前記読取装置による指紋画像の読み取りデータに基づいて指紋登録または照合を行う制御部とを備え、前記制御部は、前記読取装置の読み取りエリアごとに前記光源からの光が遮られているか否かを検知することで指の位置を検知することを特徴とする。
【発明の効果】
【０００７】
この発明によれば、制御部により、読取装置の読み取りエリアごとに光源からの光が遮られているか否かを検知することで光源とレンズとの間に挿入された指の位置を検知することができるため、使用者はガイドや読み取り装置に触れることなく生体認証を行うことができる。
【発明を実施するための最良の形態】
【０００８】
図１は、この発明の実施の形態に係る個人認証装置の構成を示すブロック図ある。図１に示される個人認証装置は、指紋を読み取る読取装置１と、指の上部（爪側）から光を当てる光源２と、指と指紋画像を読み取る為のレンズ５との距離を検知する距離センサ３と、レンズ５のピントを合わせるレンズ制御部４と、指紋登録・照合を行う制御部６とを備えており、読取装置１の上にレンズ５があり、さらにその上に光源２がある。
【０００９】
図１に示される個人認証装置においては、光源２とレンズ５との間に指を入れ、光源２から指を透過した光をレンズ５でピントを合わせて読取装置１にて指紋画像を読み取り、制御部６は、その読み取りデータに基づいて指紋登録・照合を行うようになされている。また、制御部６は、読取装置１の読み取りエリアごとに光源２からの光が遮られているか否かを検知することで指の位置を検知する機能を有する。さらに、制御部６は、距離センサ３により検知された距離に合わせてレンズ制御部４によりレンズ５のピントを制御するようになされている。
【００１０】
ここで、前記光源２と前記読取装置１は、図２に示す構成を備える。すなわち、図２に示すように、前記光源２は、複数の点光源２（１，１）〜２（Ｍ，Ｎ）をマトリクス状に配置した構成でなり、また、レンズ５を介して指紋画像を読み取る読取装置１は、複数の点光源２（１，１）〜２（Ｍ，Ｎ）に対応してマトリクス状に配置した読み取りエリア１（１，１）〜１（Ｍ，Ｎ）を有する構成でなる。
【００１１】
次に、前記制御部６による登録・照合時の動作を図４に示すフローチャートを参照して説明する。照合する際は、まず、光源２の全ての点光源２（１，１）〜２（Ｍ，Ｎ）を暗く点灯（暗点灯）し、距離センサ３を起動する（ステップＳ１）。使用者がレンズ５と光源２の間に指を入れると、光が指に遮られる部分が検知できる（ステップＳ２）。光源２の点光源２（１，１）〜２（Ｍ，Ｎ）に対する読取装置１の読み取りエリア１（１，１）〜１（Ｍ，Ｎ）ごとに光源２の光が遮られているかどうかを検知し、光が遮られている部分は指があるということなので、対応する点光源を明るく点灯（明点灯）する。光が遮られていない部分は指がないということなので、暗点灯のままとする（ステップＳ３〜Ｓ９）。これにより、読取装置１のどの読み取りエリアに指があるかを検知することができる。
【００１２】
次に、距離センサ３によってレンズ５と指との間の距離を計測し、距離に合わせてレンズ５のピントを合わせる（ステップＳ１０〜Ｓ１１）。指の位置を検知し、ピントが合ったら、その画像により指紋データの登録または照合を行う（ステップＳ１２〜Ｓ１３）。
【００１３】
従って、上記実施の形態によれば、制御部６により、読取装置１の読み取りエリアごとに光源２からの光が遮られているか否かを検知することで光源２とレンズ５との間に挿入された指の位置を検知することができるため、使用者はガイドや読取装置１に触れることなく生体認証を行うことができる。
【００１４】
また、距離センサ３により検知された距離に合わせてレンズ５のピントを制御することで、指の位置、読取装置１との距離に関係なく、鮮明な指の画像を得ることが可能となる。
【図面の簡単な説明】
【００１５】
【図１】この発明の実施の形態に係る個人認証装置の構成を示すブロック図ある。
【図２】図１に示す光源２と読取装置１の構成の説明図である。
【図３】図１に示す制御部６による登録・照合時の動作を説明するフローチャートである。
【符号の説明】
【００１６】
１  読取装置、１（１，１）〜１（Ｍ，Ｎ）  読取装置１の読み取りエリア、２  光源、２（１，１）〜２（Ｍ，Ｎ）  光源２の点光源、３  距離センサ、４  レンズ制御部、５  レンズ、６  制御部。
【図１】
2007193502.tif 000003
【図２】
2007193502.tif 000004
【図３】
2007193502.tif 000005